(57)【要約】      （修正有）【課題】冷蔵設備のない環境下においても使用することができ、冷感の持続時間を飛躍的に向上させた冷感体を提供する。【解決手段】被接触体に接触させて被接触体からの熱を吸収可能な接触冷感生地２と、大量の水分を保水可能な高吸水性素材３と、ダブルラッセル編地からなる気化熱拡散素材を構成する表編地４ａ，裏編地４ｂ，連結糸４ｃ，開口部４ｄ，空気層４ｅ，とから三層構造の冷感体１とする。熱伝導率の良い接触冷感生地２を被接触体に接触させて吸熱し、高吸水性素材３に水分を大量に含ませて水容量に応じた冷却持続時間を確保し、さらに気化熱をその外側のダブルラッセル編地内の空気層を通して効果的に放散させ、これにより、冷蔵設備のない環境下においても、長時間の冷却効果を得ることができる。【選択図】図１
2020078251.tif 000002
【特許請求の範囲】
【請求項１】
被接触体に接触させて被接触体からの熱を吸収可能な接触冷感生地と、
該接触冷感生地で吸収した熱を移行させるよう水分を保水可能な高吸水性素材と、
該高吸水性素材から気化熱を拡散させる空気層および開口部を有する気化熱拡散素材と、
からなる三層構造の冷感体。
【請求項２】
前記気化熱拡散素材は、ダブルラッセル編により、表裏二層の編地と、該表裏の編地を連結する連結糸から構成され、前記空気層が表裏の編地間に形成され、前記開口部が少なくとも表層の編地に形成されている、請求項１に記載の冷感体。
【請求項３】
前記接触冷感生地、高吸水性素材及び気化熱拡散素材のうちの少なくとも一つの部材が、抗菌及び/又は防カビ特性を備えた、請求項１又は２に記載の冷感体。
【請求項４】
被接触体がヒトである請求項１〜３のいずれかに記載の冷感体。
【請求項５】
被接触体が動物である請求項１〜３のいずれかに記載の冷感体。
【請求項６】
被接触体が競走馬である請求項５に記載の冷感体。
【請求項７】
被接触体が馬、牛、豚等の家畜である請求項５に記載の冷感体。
【請求項８】
被接触体が犬等のペット動物である請求項５に記載の冷感体。
【請求項９】
被接触体に全体ではなく部分的に覆う大きさに形成する請求項１〜８のいずれかに記載の冷感体。
【請求項１０】
請求項１〜３のいずれかに記載の冷感体がヒトの脇部、首部等に全体に対して部分的に配置されている被服。
【請求項１１】
請求項１〜３のいずれかに記載の冷感体が被服に着脱可能に装着される請求項９に記載の被服。
【請求項１２】
請求項１〜３のいずれかに記載の冷感体を用いた帽子。
【請求項１３】
請求項１２に記載の帽子がヘルメットの内側に装着可能とされた帽子。
【発明の詳細な説明】
【技術分野】
【０００１】
本発明は、ヒトや動物等の被接触体に接触させて被接触体からの熱を吸収可能な冷感体に関するものである。
【背景技術】
【０００２】
この種の冷感体として、特許文献１には、ペット用冷却マットが開示されている。このペット用冷却マットは、通気性を有するメッシュ構造の外装体内に、表材側から裏材側に向かって、吸水性シートと蓄冷剤シートを順次収容し、水分を気化する際の吸熱（潜熱）作用により、表面の温度を低く保つようにしている。
【０００３】
この冷却マットは、水分を保持する吸水性シートと、冷蔵庫で冷やす蓄冷剤シートを組み合わせることで、吸水性シートの水容量に正比例する冷却持続時間が延長されると共に、べたつきの原因となる蓄冷剤シートの結露を吸水性シートによって吸水させることによって、べたつきを解消することができ、結露水による気化水分の補充という相乗効果が得られるようにしている。また、外装体を構成するカバー袋には、吸水性シート、蓄冷剤シート、防水断熱シートを出し入れするためにファスナが設けられ、上記各シートを個別に取り出し、吸水性シートに水分を供給したり、蓄冷剤シートを冷蔵庫で冷やしたりすることができるようにしている。
【０００４】
また、特許文献２には、ヒトの一部に着用する汗取りバンドが開示されている。この汗取りバンドは、そのバンド本体のうち、ヒトの皮膚に直接接触する部分を二重に形成し、この二重部分に高吸水性繊維からなる詰め綿を均一に充填する構成を採用している。この構成によると、スポーツをする発汗時に使用すると、ヒトの肌に接触した部分の汗を吸収することができるので、不快感を解消することができる。また、使用時に詰め綿を水で適度に湿らせて冷蔵庫の中で冷却して使用することができ、その冷却作用により暑さを和らげて発汗を抑えることができる。
【先行技術文献】
【特許文献】
【０００５】
【特許文献１】特開2001-269074号公報
【特許文献２】実用新案登録第3041868号公報
【発明の概要】
【発明が解決しようとする課題】
【０００６】
ところで、特許文献１のペット用冷却マットでは、冷蔵庫で冷やすための蓄冷剤シートを使用しているため、蓄冷剤シートを冷蔵庫で一旦冷やした後に外装のカバー袋に収容して使用することになり、冷蔵設備が必要になり、そのような設備がない環境下では使用することができないという難点がある。
【０００７】
また、特許文献２においては、高吸水性シートの吸水率に応じて持続的に発汗抑制作用が持続するものの、さらなる冷感作用が求められた場合に、バンド本体の素材がこれに対応できる態様になっていないという難点がある。
【０００８】
本発明は、上記に鑑み、冷蔵設備のない環境下においても使用することができ、また、冷感持続時間が飛躍的に向上することができる冷感体の提供を目的としている。
【課題を解決するための手段】
【０００９】
上記目的を達成するため、本発明は、被接触体に接触させて被接触体からの熱を吸収可能な接触冷感生地と、該接触冷感生地で吸収した熱を移行させるよう水分を保水可能な高吸水性素材と、該高吸水性素材から気化熱を拡散させる空気層および開口部を有する気化熱拡散素材と、からなる三層構造の冷感体を提供するものである。
【発明の効果】
【００１０】
本発明によると、ヒトや動物である被接触体に熱伝導率の良い接触冷感生地を接触させて吸熱し、中間層の高吸水性素材に水分を含ませて保水させ、接触冷感生地で吸収した熱を高吸水性素材に移行させ、その吸水性素材の水分の気化による吸熱（潜熱）作用による冷却効果で被接触体を冷却し、吸水性素材の水容量に応じた冷却持続時間を確保することができる。さらに、高吸水性素材からの気化熱をその外側のダブルラッセル編地からなる気化熱拡散素材に移行させ、ダブルラッセル編地内の空気層を通して気化熱を放散させる。これにより、冷蔵設備のない環境下においても、吸水性素材に水分を含ませるだけで、長時間の冷感作用を持続させることができる。
【図面の簡単な説明】
【００１１】
【図１】本発明の一実施形態である三層構造の冷感体を示す斜視図である。
【図２】図1の冷感体を子牛用のクールジャケットに使用した例を示す斜視図である。
【図３】図２に示す冷感体としてクールジャケットを７頭の子牛に着用し、その体温、心拍数、呼吸数を測定したときの体調測定データを示すもので、同図(ａ)は体温を示すデータ、同図（ｂ）は心拍数を、そして同図（ｃ）は呼吸数のデータを示す表である。
【図４】図3の測定結果を示すグラフであって、（ａ）は体温の経時変化を、（ｂ）は心拍数の経時変化を、そして、（ｃ）は呼吸数の経時変化をグラフ化したものである。
【図５】図１の冷感体を被服の一部に部分的に装着した状態を示す斜視図である。
【図６】（ａ）は小型扇風機を備えた空調用被服を、（ｂ）はそのインナーとしても着用可能な本発明に係るベストの斜視図である。
【図７】図１の冷感体をマフラーとして使用した態様を示す斜視図である。
【図８】図１の冷感体をヒトの膝や肘に巻くサポータとして使用した態様を示す斜視図である。
【図９】図１の冷感体をヘルメットに着脱可能な帽子として適用した場合の斜視図である。
【発明を実施するための形態】
【００１２】
以下に本発明の実施形態を図面に基づいて説明する。なお、図１に示す冷感体は以下の実施形態に共通のものである。したがって、図1に示す冷感体については、第１の実施形態で説明し、第２の実施形態以降では、その詳細を省略し、適用態様のみを記述するものとする。
【００１３】
＜第１の実施形態＞
図１に示す冷感体１は、被接触体に接触させて被接触体からの熱を吸収可能な接触冷感生地２と、該接触冷感生地２で吸収した熱を外側に移行させるよう水分を保水可能な高吸水性素材３と、該高吸水性素材３から気化熱を拡散させるダブルラッセル編からなる気化熱拡散素材４とを備え、これらの接触冷感生地２、高吸水性素材３および気化熱拡散素材４はシート状に形成されて三層構造をなしている。冷感体１は、適用部位に応じた所望の大きさに形成される。そして、冷感体１の周縁が、解れないよう適宜縁取り５がなされている（図２参照）。
【００１４】
接触冷感生地２は、すばやく熱を吸収する熱伝導率の高い生地から構成される。接触冷感生地２は、編地あるいは布帛のいずれであってもよい。伸縮性を求める場合、伸縮性が得やすい編地組織が好ましい。接触冷感生地２の素材は、例えば、ポリエチレン、ポリエステル、ナイロン等のポリマーから構成される。異形糸を使用して熱伝導率を上げたり、あるいは、同形断面糸を使用して熱伝導率を上げることにより、ひんやりとした接触冷感作用を発揮するようにしている。素材の一例として、熱を拡散しやすい熱伝導性の優れた超高分子量ポリエチレン繊維（イザナス：東洋紡績の登録商標）が挙げられる。これらの接触冷感糸に、吸湿発散性の高いレーヨン糸を交編することにより、肌触りが柔らかく滑らかで、かつひんやりとした接触冷感作用を発揮することができる。
【００１５】
高吸水性素材３は、高吸水性繊維の不織布によってシート状に形成される。不織布以外に綿状の繊維集合体であってもよい。不織布は、高吸水性繊維１０〜１００重量％と他の繊維９０〜０重量％とから構成することができる。この不織布の吸水量は、２〜３  ｌ/ｍ2以上に設定されるのが好ましい。また、不織布は自重の５倍以上の吸水倍率を有する繊維という。高吸水繊維としては、ランシールＦ［商品名：東洋紡績社製］を挙げることができる。ランシールＦは吸水ポリマーの外層を持つ２層構造の超吸水性アクリル繊維であり、水と接触すると速やかに吸水して直径が約１２倍に膨潤し、自重の１５０倍もの水を吸収することができる。この高吸水性繊維は、他の繊維、例えば、ポリエステル、ポリアミド、ポリアクリルニトリル、ポリエチレン等の合成繊維やレーヨン等の再生セルロース繊維と混用することができる。
【００１６】
気化熱拡散素材４は、表裏二層の編地４ａ，４ｂと該二層の編地４ａ，４ｂを連結する連結糸４ｃとから構成される。表裏の編地４ａ，４ｂ間に気化熱を放散させる空気層４ｅが形成される。表裏の編地４ａ，４ｂの地糸や連結糸４ｃを形成する繊維としては、例えば、ポリエステル系繊維、ポリアミド系繊維、ポリアクリロニトリル系繊維、ポリプロピレン系繊維等の合成繊維、綿、麻、ウール等の天然繊維、レーヨン等の再生繊維等を挙げることができる。
【００１７】
気化熱拡散素材４の立体構造編物は、相対する２列の針床を有するダブルラッセル編機によりダブルラッセル編で編成することができる。立体構造編物の表裏の編地４ａ，４ｂは、４角、６角等の複数の開口部４ｄを有するメッシュ編地に編成することができる。また、表裏の編地４ａ，４ｂを異なる編組織としても良い。
【００１８】
連結糸４ｃの密度を適度に設定して、適度な剛性に有して、より一層良好なクッション性を有するようにする。この連結糸４ｃが存在する表裏の編地４ａ,４ｂ間に空気層４ｅが形成される。連結糸４ｃは、表裏の編地４ａ，４ｂ中にループ状の編み目を形成してもよく、表裏編地に挿入組織で引っかけた構造でもよいが、少なくとも２本の連結糸が表裏の編地４ａ，４ｂを互いに逆方向に斜めに傾斜して、クロス状（Ｘ状）やトラス状に連結するのが、立体構造編物の形態安定性を向上させる上で好ましい。
【００１９】
接触冷感生地２、高吸水性素材３およびダブルラッセル編からなる気化熱拡散素材４は、シート状に形成され、接触冷感生地２、高吸水性素材３及び気化熱拡散素材４は、内側から外側にかけて順次積層されて三層構造をなしている。この冷感体１の形状は適用部位の形状に合わせた形状に形成され、これらの周縁には、周縁を覆うテープ状の縁取り５が縫製されている（図２参照）。さらに、図２に示すように、冷感体１を使用する被接触体に巻き付くように、冷感体１の両側を連結する面状ファスナ７を取り付ける態様も採用することができる。
【００２０】
また、前記接触冷感生地２、高吸水性素材３及び気化熱拡散素材４のうちの少なくとも一つの部材が、抗菌及び/又は防カビ特性を備える構成が好ましい。特に被接触体としてヒトの人体に接触させる冷感体には抗菌・防カビ特性を備えるのが好ましい。具体的には、抗菌剤や防カビ剤を接触冷感生地２や気化熱拡散素材４の一部あるいは全部の繊維に用いることができる。また、高吸水性素材３に抗菌・防カビ特性を付与する場合、高吸水性素材そのものに抗菌剤や防カビ剤を含有させたり、あるいは高吸水性素材３を構成する不織布の外側に抗菌剤や防カビ剤を含有する不織布シートを巻き付けることにより、抗菌・防カビ特性を付与することもできる。
【００２１】
上記構成において、ヒトＢや動物Ａである被接触体に熱伝導率の良い接触冷感生地２を接触させて吸熱し、中間層の高吸水性素材３に水分を含ませて保水させ、接触冷感生地２で吸収した熱を高吸水性素材３に移行させ、その高吸水性素材３の水分の気化による吸熱（潜熱）作用による冷却効果で被接触体Ａ，Ｂを冷却し、高吸水性素材３の水容量に応じた冷却持続時間を確保する。さらに、高吸水性素材３からの気化熱をその外側のダブルラッセル編からなる気化熱拡散素材４に移行させ、ダブルラッセル編地内の空気層４ｅを通して気化熱を放散させる。これにより、冷蔵設備のない環境下においても、高吸水性素材３に水分を含ませるだけで、長時間の冷感作用を持続させることができる。
【００２２】
図２は、冷感体１を子牛用のクールジャケットに使用した例を示す。クールジャケットは子牛等の家畜の熱中症対策として使用することができる。図２は子牛Ａの前脚側のみに冷感体１を巻き付けたクールジャケットである。被接触体に部分的に覆う態様を採用するのは、被接触体Ａの全体を冷却するよりは、熱の均衡を保つように血流作用が良好になり、早期に安定した冷却効果が期待できるからである。
【００２３】
図３は図２に示す冷感体１としてクールジャケットを７頭の子牛（牛番号１−７）に着用し、その体温、心拍数、呼吸数を測定したときの体調測定データを示す。そのときの気温、湿度、風速のデータも示す。測定は、午前１２：００、１２：３０、１３：００、１４：００、１５：００，１７：００で行った。表中「Ｐｒｅ」とは冷感体の装着前の測定データである。測定データの平均値（mean）と標準偏差（ＳＤ）も示す。また、図３(ａ)は主として体温の変化を示すデータ、同図（ｂ）は心拍数を、そして同図（ｃ）は呼吸数のデータを示す。
【００２４】
上記の測定結果をよると、いずれの子牛も体温が経時的に下がる傾向が認められ、心拍数は冷感体１の装着前に比べて装着後１時間で２５−３０程度下がった。また、呼吸数についても、全体的に５時間後には７２から３６と下がる傾向にあり、冷却効果により子牛が安定した状態に戻る傾向を示している。
【００２５】
図４は図３の測定結果を示すグラフ化したものであって、同図（ａ）は体温の経時変化を、（ｂ）は心拍数の経時変化を、そして、（ｃ）は呼吸数の経時変化を示すものである。注釈において、ｎは個体数、ｐは有意確率を示す。ＶＳ０はクールジャケットの着衣前に対しての意味である。折れ線グラフの経過時間ゼロの数値が着衣前の数値になる。これらのグラフから明らかなように、冷感体１の装着により体温、心拍数、呼吸数が経時的に下がる傾向にあり、これにより、個体が安定化し、熱中症の改善を図ることができる。
【００２６】
この冷感体１は水道水等で水分を供給するだけでよく、冷感体１を冷やす冷蔵設備は不要である。したがって、牛舎や牧場等でもクールジャケットとして子牛に装着して熱中症対策に適用することができる。
【００２７】
なお、上記実施形態では、子牛のクールジャケットとして冷感体１を適用したが、これに限らず、馬、親牛、豚等の家畜のクールジャケットに適用することができる。また、被接触体としては、他の動物、例えば、競走馬であってもよい。さらに、動物であれば、犬等のペット動物のクールジャケットとしても適用することができる。
【００２８】
＜第２の実施形態＞
図５はヒトＢを被接触体とし、図１の冷感体１を被服の一部に部分的に装着した状態を示す。被服１０はブルゾンが例示できる。ブルゾン１０の内側の脇部分にポケット１１を形成し、このポケット１１に冷感体１を着脱自在に装着する。脇部分は動脈が人体の表面近くを流れるので、その冷却効果が大きくなる。ヒトＢの首筋付近でも冷却効果が大きいので、襟部分にポケット１１を形成し、このポケット１１に冷感体１を着脱可能に装着する態様も付加することができる。
【００２９】
この冷感体１には、接触冷感生地２、高吸水性素材３及び気化熱拡散素材４のうちの少なくとも一つの部材が、抗菌及び/又は防カビ特性を備える構成が好適であり、これにより、高吸水性素材３を水に濡らしたり、あるいは人体から発散される汗を吸収したとしても、カビの発生や細菌の発生を防ぎ、環境に優れた被服を提供することができる。
【００３０】
＜第３実施形態＞
図６（ａ）は小型扇風機１４を備えた空調用被服１２を背面側から見た斜視図であり、同図（ｂ）はそのインナーとして着用可能な本発明の冷感体１を袖なしのベスト１３とした例を示す。本例では、冷感体１をベスト１３として縫製し、高吸水性素材３に水分を含ませて着用し、その上から空調用被服１２を着用する。小型扇風機１４を駆動することにより、内側のベストの冷却作用を発揮し、ヒトの人体を冷やす。
【００３１】
なお、被服１２として、扇風機を備えた空調作業着（ブルゾン）を例示したが、これに限らず、自動二輪や自転車等のバイク用のライディングウエアや、その他のスポーツウエアであってもよい。そのインナとして、本発明の冷感体をベストとして、あるいは上記ウエアの内側の脇部分や首筋、さらには股内側にポケット部を形成し、このポケット部に冷感体１を着脱可能に装着する態様であってもよい。
【００３２】
さらに、被服として、プール等の屋外で使用するフード付きポンチョにポケットを形成し、このポケットに冷感体１を着脱可能に装着する態様であってもよい。なお、これらの被服に用いる冷感体１についても抗菌・防カビ特性を付与すれば衛生的である。
【００３３】
＜第４の実施形態＞
図７は図１の冷感体をマフラー１５として使用した態様を示す。被接触体としてヒトＢの首筋にマフラーを巻き付け装着する態様であってもよい。このマフラーに使用する冷感体１についても抗菌・防カビ特性を付与すれば衛生的である。
【００３４】
＜第５の実施形態＞
図８は図１の冷感体をヒトの膝や肘に巻くサポータ１６，１７として使用した例を示す。冷感体１は伸縮性素材を使用して、また面状ファスナ１８を使用して冷却部位に巻き付ける態様を採用してもよい。
【００３５】
＜第６の実施形態＞
図９は図１の冷感体１を帽子１９に適用した例を示す。帽子１９は、その全体を冷感体１で形成するか、一部分を冷感体１で形成し、他の部分の別の素材で形成することもできる。この帽子１９は、単独でも使用できるが、上からヘルメット２０に内側に装着して使用することもできる。これにより、バイクでも使用、あるいは工事現場で使用することができる。
【００３６】
なお、本発明は上記実施形態に限定されるものではなく、本発明の範囲内で多くの修正・変更を加えることができるのは勿論である。例えば、防災グッズにおいて、冷感効果を長時間持続させるための小物類やシート等に本発明の冷感体を使用することもできる。また、ヒトが着用する被服のみならず、動物が着用するクールジャケットにおいても、抗菌・防カビ特性を有する冷感体を用いれば衛生的である。
【符号の説明】
【００３７】
Ａ  被接触体としての動物
Ｂ  被接触体としてのヒト
１  冷感体
２  接触冷感生地
３  高吸水性素材
４  気化熱拡散素材
４ａ  表編地
４ｂ  裏編地
４ｃ  連結糸
４ｄ  開口部
４ｅ  空気層
５  縁取り
１０  被服
１１  ポケット
１２  空調用被服
１３  ベスト
１４    小型扇風機
１５    マフラー
１６，１７    サポータ
１９    帽子
２０  ヘルメット
【図１】
2020078251.tif 000003
【図２】
2020078251.tif 000004
【図３】
2020078251.tif 000005
【図４】
2020078251.tif 000006
【図５】
2020078251.tif 000007
【図６】
2020078251.tif 000008
【図７】
2020078251.tif 000009
【図８】
2020078251.tif 000010
【図９】
2020078251.tif 000011
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
熱伝導率の高い超高分子量ポリエチレン繊維素材からなり、被接触体に接触させて被接触体からの熱を吸収可能な接触冷感生地と、
高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、
表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、この三層構造体の周縁には局所溶着を施こすことなくテープ状の縁取りが縫製されていることを特徴とする冷感体。
【請求項２】
前記接触冷感生地、高吸水性素材及び気化熱拡散素材のうちの少なくとも一つの部材が、抗菌及び/又は防カビ特性を備えた、請求項１に記載の冷感体。
【請求項３】
前記被接触体が、競走馬、馬、牛、豚等の家畜、あるいは犬等のペット動物であり、これらの四つ脚動物の首から腰にかけて請求項１記載の冷感体を巻き付けるように、前記冷感体の両側に面状ファスナが取り付けられ、前記高吸水性素材に水分を含ませて熱中症対策として用いた請求項1又は２に記載の動物用クールジャケット。
【請求項４】
前記冷感体は前記動物を部分的に覆う大きさに形成された請求項３に記載の動物用クールジャケット。
【請求項５】
袖なしのベストから構成される被服であって、
前記ベストは、シート状の冷感体を縫製してなり、
前記冷感体は、
熱伝導率の高い超高分子量ポリエチレン繊維素材からなり、被接触体に接触させて被接触体からの熱を吸収可能な接触冷感生地と、
高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、
表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、前記冷感体の高吸水性素材に水分を含ませて、小型扇風機を備えた空調用被服のインナーとして着用可能とされたことを特徴とする被服。
【請求項６】
小型扇風機を備えた空調用被服と、そのインナーとして着用可能な袖なしのベストとから構成される被服であって、
前記ベストは、シート状の冷感体を縫製してなり、
前記冷感体は、
熱伝導率の高い超高分子量ポリエチレン繊維素材からなり、被接触体に接触させて被接触体からの熱を吸収可能な接触冷感生地と、
高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、
表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、前記冷感体の高吸水性素材に水分を含ませて、前記小型扇風機を駆動させることにより内側のベストの冷却作用を発揮させることを特徴とする被服。
【手続補正２】
【補正対象書類名】明細書
【補正対象項目名】０００９
【補正方法】変更
【補正の内容】
【０００９】
上記目的を達成するため、本発明の冷感体は、熱伝導率の高い超高分子量ポリエチレン繊維素材からなり、被接触体に接触させて被接触体からの熱を吸収可能な接触冷感生地と、高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、この三層構造体の周縁には局所溶着を施こすことなくテープ状の縁取りが縫製されている。
ここで、被接触体が、競走馬、馬、牛、豚等の家畜、あるいは犬等のペット動物であり、冷感体をこれらの四つ脚動物のクールジャケットとして使用する。すなわち、これらの四つ脚動物の首から腰にかけて上記冷感体を巻き付けるように、冷感体の両側に面状ファスナが取り付けられ、高吸水性素材に水分を含ませて熱中症対策として用いる。
さらに、上記冷感体を被服の素材としても使用する。すなわち、袖なしのベストから構成される被服であって、前記ベストは、シート状の冷感体を縫製してなり、前記冷感体は、熱伝導率の高い超高分子量ポリエチレン繊維素材からなり、被接触体に接触させて被接触体からの熱を吸収可能な接触冷感生地と、高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、前記接触冷感生地、高吸水性素材および気化熱拡散素材が内側から外側にかけて順次積層されて全体として三層構造のシート状に形成され、前記冷感体の高吸水性素材に水分を含ませて、小型扇風機を備えた空調用被服のインナーとして着用可能とされる。
また、小型扇風機を備えた空調用被服と、そのインナーとして着用可能で上記冷感体を備えた袖なしのベストとからなる被服に本発明を適用し、冷感体の高吸水性素材に水分を含ませて、小型扇風機を駆動させることにより内側のベストの冷却作用を発揮させることができる。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
熱伝導率の高い超高分子量ポリエチレン繊維素材からなり、被接触体に接触させて被接触体からの熱を吸収可能な接触冷感生地と、高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、この三層構造体の周縁には局所溶着を施こすことなくテープ状の縁取りが縫製され、前記高吸水性素材に水分を含ませて保水させ、前記接触冷感生地で吸収した熱を前記高吸水性素材に移行させ、その高吸水性素材の水分の気化による吸熱作用により被接触体を冷却し、前記高吸水性素材の水容量に応じた冷却持続時間を確保するようにしたことを特徴とする冷感体。
【請求項２】
前記接触冷感生地、高吸水性素材及び気化熱拡散素材のうちの少なくとも一つの部材が、抗菌及び/又は防カビ特性を備えた、請求項１に記載の冷感体。
【請求項３】
前記被接触体が、競走馬、馬、牛、豚等の家畜、あるいは犬等のペット動物であり、これらの四つ脚動物の首から腰にかけて請求項１記載の冷感体を巻き付けるように、前記冷感体の両側に面状ファスナが取り付けられ、前記高吸水性素材に水分を含ませて熱中症対策として用いた請求項１又は２に記載の動物用クールジャケット。
【請求項４】
前記冷感体は前記動物を部分的に覆う大きさに形成された請求項３に記載の動物用クールジャケット。
【請求項５】
袖なしのベストから構成される被服であって、
前記ベストは、シート状の冷感体を縫製してなり、
前記冷感体は、
熱伝導率の高い超高分子量ポリエチレン繊維素材からなり、被接触体としての人体に接触させて人体からの熱を吸収可能な接触冷感生地と、
高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、
表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、前記冷感体の高吸水性素材に水分を含ませて保水させ、接触冷感生地で吸収した熱を高吸水性素材に移行させ、その高吸水性素材の水分の気化による吸熱作用により人体を冷却し、前記高吸水性素材の水容量に応じた冷却持続時間を確保するようにしたことを特徴とする被服。
【請求項６】
小型扇風機を備えた空調用被服と、そのインナーとして着用可能な袖なしのベストとから構成される被服であって、
前記ベストは、シート状の冷感体を縫製してなり、
前記冷感体は、
熱伝導率の高い超高分子量ポリエチレン繊維素材からなり、被接触体としての人体に接触させて人体からの熱を吸収可能な接触冷感生地と、
高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、
表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、
前記接触冷感生地、高吸水性素材および気化熱拡散素材が内側から外側にかけて順次積層されて全体として三層構造のシート状に形成され、前記冷感体の高吸水性素材に水分を含ませて保水させ、前記接触冷感生地で吸収した熱を前記高吸水性素材に移行させ、その高吸水性素材の水分の気化による吸熱作用により人体を冷却し、前記高吸水性素材の水容量に応じた冷却持続時間を確保するようにし、前記小型扇風機を駆動させることにより内側の前記ベストの冷却作用を発揮させることを特徴とする被服。
【手続補正２】
【補正対象書類名】明細書
【補正対象項目名】０００９
【補正方法】変更
【補正の内容】
【０００９】
上記目的を達成するため、本発明の冷感体は、熱伝導率の高い超高分子量ポリエチレン繊維素材からなり、被接触体に接触させて被接触体からの熱を吸収可能な接触冷感生地と、高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、前記接触冷感生地、高吸水性素材および気化熱拡散素材が内側から外側にかけて順次積層されて全体として三層構造のシート状に形成され、この三層構造体の周縁には局所溶着を施こすことなくテープ状の縁取りが縫製され、前記高吸水性素材に水分を含ませて保水させ、前記接触冷感生地で吸収した熱を前記高吸水性素材に移行させ、その高吸水性素材の水分の気化による吸熱作用により被接触体を冷却し、前記高吸水性素材の水容量に応じた冷却持続時間を確保するようにする。
ここで、被接触体が、競走馬、馬、牛、豚等の家畜、あるいは犬等のペット動物であり、冷感体をこれらの四つ脚動物のクールジャケットとして使用する。すなわち、これらの四つ脚動物の首から腰にかけて上記冷感体を巻き付けるように、冷感体の両側に面状ファスナが取り付けられ、高吸水性素材に水分を含ませて熱中症対策として用いる。
さらに、上記冷感体を被服の素材としても使用する。すなわち、袖なしのベストから構成される被服であって、前記ベストは、シート状の冷感体を縫製してなり、前記冷感体は、熱伝導率の高い超高分子量ポリエチレン繊維素材からなり、被接触体としての人体に接触させて人体からの熱を吸収可能な接触冷感生地と、高吸水性繊維と他の繊維とを混ぜ合わせて自重の５倍〜１５０倍の吸水倍率を有する不織布からなり、前記接触冷感生地で吸収した熱を移行させるよう水分を保水可能な高吸水性素材と、表裏二層の編地と該二層の編地を連結する連結糸とからダブルラッセル編で編成され、前記表裏二層間に前記高吸水性素材から気化熱を拡散させる空気層が形成されると共に前記二層の編地に開口部を有する気化熱拡散素材とを備え、前記接触冷感生地、高吸水性素材および気化熱拡散素材が内側から外側にかけて順次積層されて全体として三層構造のシート状に形成され、前記冷感体の高吸水性素材に水分を含ませて保水させ、接触冷感生地で吸収した熱を高吸水性素材に移行させ、その高吸水性素材の水分の気化による吸熱作用により人体を冷却し、前記高吸水性素材の水容量に応じた冷却持続時間を確保するようにする。
また、小型扇風機を備えた空調用被服と、そのインナーとして着用可能で上記冷感体を備えた袖なしのベストとからなる被服に本発明を適用し、冷感体の高吸水性素材に水分を含ませて、小型扇風機を駆動させることにより内側のベストの冷却作用を発揮させることができる。